(57)【要約】【課題】吹出口から吹き出す清浄空気の吹出効率を高め居住性を向上することのできる空気清浄機、また、吹出口から低い風速の清浄空気を吹き出すことにより、より良好な居住性を得ることのできる空気清浄機を提供する。【解決手段】空気の吸込口２、エアフィルター７、送風ユニット８、吹出ユニット１５及び第１の空気の吹出口３を有する本体１と、多数の開口からなる第２の空気の吹出口５を有する袋体４と、前記本体１と袋体４を接続する分離自在のフレキシブル風路６とを備えた。【選択図】        図１
2004257689.tif 000002
【特許請求の範囲】
【請求項１】
空気の吸込口、エアフィルター、送風ユニット、吹出ユニット及び空気の吹出口を有する本体と、多数の空気の吹出口を有する袋体と、前記本体と袋体を接続する分離自在のフレキシブル風路とを備えたことを特徴とする空気清浄機。
【請求項２】
前記フレキシブル風路は伸縮機能を有することを特徴とする請求項１記載の空気清浄機。
【請求項３】
前記本体と袋体の空気の吹出口の合計有効面積を、これら吹出口から吹出す空気の風速が気象庁風力階級表による風力階級０〜１になるように設定したことを特徴とする請求項１記載の空気清浄機。
【発明の詳細な説明】
【０００１】
【発明の属する技術分野】
本発明は、室内の空気を清浄にできるとともに、清浄な空気を供給することのできる空気清浄機に関するものである。
【０００２】
【従来の技術】
従来の空気調和機に、本体の一側に空気の吸込口、本体の他側部に空気の吹出口がそれぞれ形成され、吹出口にはそこから吸込口側に延出されたほぼＬ字形状のチャンバが接続されている。そして、吹出口に接続されるチャンバの接続口は吹出口よりも吸込口側に長い寸法に形成されており、その接続口の周囲のフランジを本体に固定し接続するようにしたものがある（例えば、特許文献１参照）。
【０００３】
また、ファン、フィルターを内蔵した本体ケースの前面に吸込口を、上面に吐出口を形成するとともに、本体ケースの前面上部に壁板で覆れる上部吹出体を設け、また、本体ケースの前面下部に置き台兼用の壁板でつながれた下部吹出体を設ける。そして、上部吹出体が前方へ突出する姿勢では吐出口が塞がれ、ファンにより外気が吸込口から吸引され、フィルターを通過して清浄化される。この清浄化された空気は吹出体から吹出して吸込口の周りにトンネル状のエアカーテンを形成し、タバコの煙などはエアカーテンの内部を通って吸込口に吸引される。上部吹出体が折り畳まれた姿勢では、吐出口が開放されて清浄空気を吐出口から吹き出すように構成した空気清浄機がある（例えば、特許文献２参照）。
【０００４】
【特許文献１】
特開平６−２９４５２５号公報（第４頁、図１）
【特許文献２】
特開平１１−１５９８１４号公報（第８頁、図３）
【０００５】
【発明が解決しようとする課題】
特許文献１に記載の空気調和機では、本体にチャンバを安定かつ確実に接続することができるが、清浄な空気を吹出口からどのように吹き出すかについては考慮されていない。空気を清浄にする効率を高めるためには風量を大きくする必要があるが、風量を大きくすると風が強すぎるという問題があるが、このような問題が解決されていない。
【０００６】
また、特許文献２に記載の空気清浄機では、吹出口から吹き出された清浄な空気がトンネル状のエアカーテンを形成し、このエアカーテンの内部を通って煙草の煙などを吸引するようにしているが、汚れた空気と清浄な空気とが隣接しており、清浄な空気だけの空間を確保することができないという問題がある。
【０００７】
本発明は、上記の課題を解決するためになされたもので、吹出口から吹き出す清浄空気の吹出効率を高め、居住性を向上することのできる空気清浄機を提供することを目的したものである。
また、本発明は、吹出口から低い風速の清浄空気を吹き出すことにより、より良好な居住性を得ることのできる空気清浄機を提供することを目的としたものである。
【０００８】
【課題を解決するための手段】
本発明に係る空気清浄機は、空気の吸込口、エアフィルター、送風ユニット、吹出ユニット及び空気の吹出口を有する本体と、多数の空気の吹出口を有する袋体と、前記本体と袋体を接続する分離自在のフレキシブル風路とを備えたものである。
【０００９】
【発明の実施の形態】
実施の形態１．
図１は本発明の実施の形態１に係る空気清浄機の概要を示す斜視図である。
本実施の形態に係る空気清浄機は、本体１、袋体４及び両者を接続するフレキシブル風路６からなるものである。そして、本体１の背面には、複数のスリット状開口からなる外気の吸込口２が設けられており、前面には複数のスリット状開口からなる清浄化された空気の吹出口である第１の吹出口３が設けられている。なお、吸込口２は、本体１の背面に限定するものではなく、側面又は天面に設けあるいはこれら複数の面に設けてもよい。
また、空気の流通が可能で、かつ伸縮機能を備えたフレキシブル風路６を介して本体１に接続された袋体４の前面には、多数の開口からなる清浄化された空気の吹出口である第２の吹出口５が設けられている。
【００１０】
本体１内には、図２に示すように、吸込口２の前面側にエアフィルター７が設けられている。このエアフィルター７は、脱臭フィルターあるいは電極を使用した空気清浄手段を用いてもよく、さらには、複数の空気清浄手段を用いたユニットでもよい。
また、エアフィルター７の前面側には送風ユニット８が設けられている。この送風ユニット８は、図３に示すように、モータ９及びこのモータ９に機械的に接続された送風ファン１０がケーシング１１内に収容されており、このケーシング１１の側面には、空気分配風路１２が設けられ、この空気分配風路１２には、フレキシブル風路６側に開口する開口部１３と、後述の吹出ユニット１５側に開口する開口部１４とが設けられている。なお、送風ファン１０は、図にはシロッコファンを示したが、他の構造のものでもよい。
【００１１】
さらに、送風ファン８の前面側と第１の吹出口３との間には、図４に示すように、前面側に複数の吹出孔１６が設けられた中空で板状の吹出ユニット１５が、本体１の前部内面のほぼ全域にわたって設けられており、その側面には、空気分配風路１２の開口部１４に接続される接続口１７が設けられている。なお、図には吹出ユニット１５に円形の吹出孔１６を設けた場合を示したが、吹出孔１６の形状は多角形等他の形状であってもよい。また、吹出孔１６の大きさも一定でなく変化させてもよく、その密度も一定でなくてもよい。
【００１２】
フレキシブル風路６は、図５に示すように、蛇腹状に成形されており、伸縮機能を有している。また、外からの機械的圧力から保護する補強リング２１を一体に有している。
そして、一端の入口１９は本体１の空気分配風路１２の開口部１３に接続され、他端の出口２３は袋体４の接続口２６に接続される。
【００１３】
なお、袋体４の吹出口５の形状、大きさ、密度等は適宜変更することができる。
【００１４】
次に、上記のように構成した本実施の形態１の作用について説明する。
送風ユニット８のモータ９に通電して送風ファン１０を駆動すると、図１、図２に示すように、本体１の吸込口２から外気３０が吸い込まれ、エアフィルター７を通過することにより清浄空気３１となる。この清浄空気３１は送風ユニット８により空気分配風路１２に送られ、その一部は開口部１４から第１の吹出ユニット１５に送られて吹出孔１６から吹き出し、第１の吹出スリット３から清浄空気３２として吹き出す。
【００１５】
また、空気分配風路１２に送られた清浄空気３１の一部は、開口部１３からフレキシブル風路６を経て袋体４内に供給され、袋体４の第２の吹出口５から清浄な空気３３として吹き出す。
【００１６】
上記の説明では、本体１の一方の側に袋体４を接続した場合を示したが、本体１の両側に袋体４を接続してもよく、あるいは、本体１に複数の袋体４を直列に接続してもよい。
【００１７】
本実施の形態１によれば、吹出口を有する本体１に、同じく吹出口を有する１台又は複数台の袋体４をフレキシブル風路６により接続するようにしたので、居住空間の清浄空気の吹出効率を高めることができ、居住性を向上することができる。また、袋体４は壁掛け使用が可能でかつ軽量であり、設置場所が制約されない。さらに、本体１と袋体４とフレキシブル風路６とは分離可能であり、分離することで、袋体４はコンパクトに折りたたんで収納できるので、梱包、輸送等に便利である。また、袋体４はフレキシブル風路６により本体１と距離を置いて接続することができ、袋体４の吹出口５を所望の位置に向けることができるため便利である。
【００１８】
実施の形態２．
本実施の形態２は、吹出口から吹き出す空気の風速を適正に設定することにより、さらに居住性を向上することのできる空気清浄機を得るようにしたものである。
例えば、大きさが中型の位置づけにある風量４ｍ３／ｍｉｎの空気清浄機（実施の形態１における本体１のみの場合）において、空気の吹出口（第１の吹出口３）の大きさ（複数ある場合はその合計大きさをいい、以下の説明では吹出口の有効面積という）を約１００ｍｍ×１５０ｍｍとすると、この場合の風速Ｔは、
Ｔ＝４／６０／０．１／０．１５＝４．４（ｍ／ｓｅｃ）…（１）
となる。
【００１９】
この風速４．４ｍ／ｓｅｃは、気象庁風力階級表によると、風力階級３（風速３．４〜５．５ｍ／ｓｅｃ）に分類され、陸上では木の葉や細い小枝が絶えず動き、軽い旗が開くとあり、海上では小波の小さいもの、波がしらが砕けはじけるとある。このような風力階級３の吹出空気を居住空間に使用するには風速が大きすぎて、好ましくない。
【００２０】
こような問題を解決するために、本実施の形態２においては、本体１及び袋体４の吹出口３、５を大きくすることにより、吹出空気の風速の低速化を実現した。
例えば、本体１の吹出口３の合計大きさ（有効面積）を、約３００ｍｍ×４００ｍｍとすると、この場合の風速Ｔは、
Ｔ＝４／６０／０．３／０．４＝０．５５（ｍ／ｓｅｃ）…（２）
となる。
【００２１】
この風速０．５５ｍ／ｓｅｃは、気象庁風力階級表によると、風力階級１（風速０．３〜１．６ｍ／ｓｅｃ）に分類され、陸上では煙がなびくので風の向きはわかるが風見には感じないとあり、海上ではうろこのようなさざ波ができるが、波がしらに泡はないとある。
【００２２】
このように、空気清浄機の吹出口から風力階級１の風速で空気を吹き出して居住空間を形成することにより、居住性を向上することができる。さらに、居住性を向上するために、袋体４の吹出口（第２の吹出口５）の有効面積を、本体１の吹出口３の有効面積と等価にすると、吹出口の有効面積が２倍になるため、両者からの吹出空気の風速Ｔは、（２）式の２分の１、すなわち、それぞれ０．２７５ｍ／ｓｅｃとなる。
【００２３】
この風速０．２７５ｍ／ｓｅｃは、気象庁風力階級表による風力階級０（風速０．３ｍ／ｓｅｃ未満）に分類され、陸上では静穏、煙はまっすぐ昇るとあり、海上では鏡のような海面とある。このため、風力階級０の吹出空気で居住空間を形成すると、申分のない良好な居住性を得ることができる。
【００２４】
上記の説明では、本体１と袋体４からなる空気清浄機において、両者の吹出口から吹き出す空気の風速を、気象庁風力階級表の風力階級０とした場合を示したが、構造上大きな吹出口を設けられない場合やその他の理由により、吹出口から吹き出す空気の風速を、気象庁風力階級表の風力階級０〜１の範囲としてもよい。
【００２５】
上記の各実施の形態においては、説明を省略したが、実施の形態１，２に係る空気清浄機には、各種スイッチや表示を制御する制御部が設けられている。
【００２６】
【発明の効果】
本発明に係る空気清浄機は、空気の吸込口、エアフィルター、送風ユニット、吹出ユニット及び空気の吹出口を有する本体と、空気の吹出口を有する袋体と、本体と袋体を接続する分離自在のフレキシブル風路とを備えたので、吹出口から吹き出す清浄空気の吹出効率を高め、居住性を向上することができる。また、袋体は壁掛け使用が可能で軽量であり、設置場所が制約されない。さらに、本体と袋体とフレキシブル風路とは分離可能であり、分離することで、袋体はコンパクトに折りたたんで収納できるので、梱包、輸送等に便利な空気清浄機を得ることができる。
【図面の簡単な説明】
【図１】本発明の実施の形態１に係る空気清浄機の概要を示す斜視図である。
【図２】図１の本体の平断面図である。
【図３】図２の送風ユニットの分解斜視図である。
【図４】図２の吹出ユニットの斜視図である。
【図５】図１のフレキシブル風路の斜視図である。
【符号の説明】
１  本体、２  空気の吸込口、３  第１の吹出口、４  袋体、５  第２の吹出口、６  フレキシブル風路、７  エアフィルター、８  送風ユニット、１５  吹出ユニット。
【図１】
2004257689.tif 000003
【図２】
2004257689.tif 000004
【図３】
2004257689.tif 000005
【図４】
2004257689.tif 000006
【図５】
2004257689.tif 000007